(57)【要約】【課題】ローラ表面に作用する圧力、温度、湿度などの影響を確実に回避して、常に安定良く紙を搬送できる紙送り用ローラの提供を課題とする。【解決手段】紙表面に接触して回転することにより、紙３を搬送する静電植毛ローラ（紙送り用ローラ）１であって、この静電植毛ローラ１は、回転軸１１と、この回転軸１１の外周面１１ａに静電植毛によって設けられ、回転軸１１の外周面１１ａから起立している糸状の繊維部材１２と、回転軸１１の外周面１１ａ上に設けられ繊維部材１２を支持する断面円形のゴム部材１３とを備え、繊維部材１２の先端部１２ａがゴム部材１３の外周面１３ａより突出している。【選択図】図１
2008222316.tif 000002
【特許請求の範囲】
【請求項１】
紙表面に接触して回転することにより、前記紙を搬送する紙送り用ローラであって、
回転軸と、
前記回転軸の外周面に静電植毛によって設けられ、前記回転軸の外周面から起立している糸状の繊維と、
前記回転軸の外周面上に設けられ前記繊維を支持する断面円形のゴム部材と、を備え、
前記繊維の先端部が前記ゴム部材の外周面より突出していることを特徴とする紙送り用ローラ。
【請求項２】
前記繊維は、ナイロン繊維、アラミド繊維、又は木綿繊維であることを特徴とする請求項１に記載の紙送り用ローラ。
【請求項３】
前記ゴム部材は、シリコーンゴムであることを特徴とする請求項１または２に記載の紙送り用ローラ。
【発明の詳細な説明】
【技術分野】
【０００１】
本発明は、プリンターやファクシミリ装置などに使用して好適な紙送り用ローラに関する。
【背景技術】
【０００２】
従来、プリンターやコピー機などの紙送り用ローラは、回転軸の表面に一定厚さのゴムを設けた構成を有していた。
【０００３】
しかし、従来の紙送り用ローラは、紙を正常に搬送できなくなることが比較的多かった。これは、紙送り用ローラと紙との摩擦係数が、紙送り用ローラの表面に作用する圧力、周囲の温度、湿度などの影響で低下することが原因の一つと考えられる。そこで、紙を常に正常に搬送するため、各種の紙送り用ローラが提案されている。
【特許文献１】特開平９−１４３６１号公報
【特許文献２】特許第２９１８６８２号公報
【特許文献３】特開２００５−２８０９６４号公報
【特許文献４】特開２００３−２４８２号公報
【特許文献５】特開２００１−３８９７１号公報
【特許文献６】特開２００２−１４５４６６号公報
【特許文献７】特開２００２−１９３４６０号公報
【特許文献８】特許第２６５２５６２号公報
【発明の開示】
【発明が解決しようとする課題】
【０００４】
しかしながら、従来の紙送り用ローラは、ローラ表面に作用する圧力、温度、湿度などの影響を確実に回避することは困難であった。
【０００５】
本発明は、このような問題に鑑みなされたもので、ローラ表面に作用する圧力、温度、湿度などの影響を確実に回避して、常に安定良く紙を搬送できる紙送り用ローラの提供を課題とする。
【課題を解決するための手段】
【０００６】
本発明は、前記課題を解決するため、以下の手段を採用した。
すなわち、本発明は、
紙表面に接触して回転することにより、前記紙を搬送する紙送り用ローラであって、
回転軸と、
前記回転軸の外周面に静電植毛によって設けられ、前記回転軸の外周面から起立している糸状の繊維と、
前記回転軸の表面上に設けられ、前記繊維を支持する断面円形のゴム部材と、を備え、
前記繊維の先端部が前記ゴム部材の外周面より突出していることを特徴とする。
【０００７】
本発明では、多数の繊維が静電植毛によって回転軸の外周面から起立した状態で設けられ、繊維の先端部を残してゴム部材で支持される。紙送り用ローラが回転することにより、ゴム部材から突出した繊維の先端部が送るべき紙の繊維に引っ掛かる。また、ゴム部材の外周面が紙に接触し摩擦力が発生する。この繊維が紙に引っ掛かる力と、ゴム部材と紙との摩擦力により、紙を安定して送ることができる。
【０００８】
ここで、前記繊維は、ナイロン（登録商標）繊維、ケブラー（登録商標）、アラミド繊
維、又は木綿を例示できる。また、前記ゴム部材は、シリコーンゴムを例示できる。
【発明の効果】
【０００９】
本発明によれば、ゴム部材の外周面から突出する繊維の先端部における紙の繊維に引っ掛かる力と、ゴム部材と紙との摩擦力とによって、紙を搬送するので、ローラの外周面に作用する圧力、温度、湿度などの影響を受けることなく、紙を常に安定良く搬送できる。
【発明を実施するための最良の形態】
【００１０】
以下、本発明の実施の形態を添付した図１から図４に基づいて詳細に説明する。
【００１１】
図１は、本発明に係る紙送り用ローラ（以下、静電植毛ローラと呼ぶ。）１を示す。この静電植毛ローラ１は、紙３の表面に接触して相手側の部材、本実施形態ではローラ２との間に紙３を挟んで回転することにより、紙３を搬送するように構成されている。
【００１２】
すなわち、この静電植毛ローラ１は、図２に示すように、回転軸１１と、この回転軸１１の外周面１１ａに静電植毛によって設けられ、回転軸１１の外周面１１ａから起立している多数の糸状の繊維部材１２と、回転軸１１の外周面１１ａ上に設けられ多数の繊維部材１２を支持する円柱状のゴム部材１３とを備えている。
【００１３】
回転軸１１は、樹脂または金属によって形成されている。繊維部材１２は所定の長さを有している。また、本実施形態では繊維部材１２に木綿が使用されている。なお、繊維部材１２は、木綿以外にも、ナイロン（登録商標）繊維、ケブラー（登録商標）等のアラミド繊維など各種の繊維を使用できる。
【００１４】
回転軸１１に繊維部材１２を静電植毛する際には、周知の静電植毛技術を用いる。すなわち、まず回転軸１１の外周面１１ａに接着剤を塗布する。次に、高圧静電界における静電吸引力を利用し、多数の繊維部材１２を一本一本バラバラの状態で、接着剤を貫通させて回転軸１１の外周面１１ａに対して垂直に投錨させる。この後、接着剤を乾燥させる。これにより、繊維部材１２が回転軸１１の外周面１１ａから起立した状態で設けられる。
【００１５】
繊維部材１２を回転軸１１に静電植毛した後、回転軸１１の外周面１１ａ上に適宜なゴム部材１３を例えば含浸などによって設ける。本実施形態では、ゴム部材１３としてシリコーンゴムを使用する。なお、ゴム部材１３は、シリコーンゴム以外の各種のゴムを使用できる。
【００１６】
繊維部材１２の先端部１２ａは、図３に示すように、ゴム部材１３の外周面１３ａから適宜な寸法ｔだけ突出させる。本実施形態では、繊維部材１２の先端部１２ａをゴム部材１３の外周面１３ａから１ｍｍ程度突出させる。なお、ゴム部材１３の外周面１３ａから突出する繊維部材１２の先端部１２ａの長さは、１ｍｍ以下又は以上であっても良い。
【００１７】
繊維部材１２は、互いの間に隙間ができる程度、又は密着する程度の密度にすることができる。
【００１８】
この静電植毛ローラ１によって、紙３を送る際には、図４（ａ），（ｂ）に示すように、静電植毛ローラ１の回転によって繊維部材１２の先端部１２ａが、紙３の繊維３ａに次々に引っ掛かる。また、ゴム部材１３の外周面１３ａが紙３の表面３ｂに所定の圧力で接触する。
【００１９】
そして、繊維部材１２の先端部１２ａが紙３の繊維３ａに引っ掛かる力、及び紙３とゴム部材１３との摩擦力によって、紙３が搬送される。
【００２０】
これにより、ゴム部材１３の外周面１３ａに対する圧力、温度、湿度などの影響を受けることなく、紙３を常に安定良く搬送できる。
【００２１】
なお、繊維部材１２に例えば木綿などの比較的柔らかい材料を使用した場合は、繊維部材１２が曲げられて紙３との接触面積が増加し、紙３と繊維部材１２との摩擦力が紙３を搬送する力に加えられる。これにより、ゴム部材１３の外周面１３ａに作用する圧力、周囲の温度、湿度などの影響を受けずに、更に安定良く紙３を搬送できる。
【図面の簡単な説明】
【００２２】
【図１】本発明に係る静電植毛ローラ（紙送り用ローラ）を示す図であり、紙を搬送する状態を示す図である。
【図２】本発明に係る静電植毛ローラを示す断面図である。
【図３】本発明に係る繊維の先端部がゴム部材の外周面から突出している状態を示す断面図である。
【図４】図４（ａ）は本発明に係る繊維部材の先端部が紙の繊維に引っ掛かる状態を示す断面図、図４（ｂ）は図４（ａ）のＡ−Ａ断面図である。
【符号の説明】
【００２３】
１  静電植毛ローラ（紙送り用ローラ）
２  ローラ
３  紙
３ａ  繊維
３ｂ  表面
１１  回転軸
１１ａ  外周面
１２  繊維部材
１２ａ  先端部
１３  ゴム部材
１３ａ  外周面
【図１】
2008222316.tif 000003
【図２】
2008222316.tif 000004
【図３】
2008222316.tif 000005
【図４】
2008222316.tif 000006